(57)【要約】【課題】半導体発光素子を有する照明器具において、安価な照明器具を提供する。【解決手段】照明器具１は天井取付け型の照明器具１であって、照明器具１の天井面側を照明器具１の後面とする。照明器具１は、第１の器具本体２と、第２の器具本体３と、第２の器具本体３に取り付けられた発光部４を有する。また、この発光部４は透光性カバー６によって覆われているものである。また、第１の器具本体２と第２の器具本体３は透光性のグローブ７を有する。【選択図】図１
2013191417.tif 000002
【特許請求の範囲】
【請求項１】
天井に取付けられる器具本体と、
前記器具本体の下側の略全面に取付けられた基板上に設けられた複数の半導体発光素子からなる発光部と、
前記発光部に電源を供給する電源部と、
前記電源部への商用電源の入り切りを操作するプルスイッチを有する照明器具において、引き紐が前記プルスイッチに結着され、
かつ、前記引き紐が前記器具本体の上側に設けられた引き紐ガイドによって前記引き紐が前記器具本体の外縁付近から引き出されている
ことを特徴とする照明器具。
【請求項２】
請求項１記載の照明器具において、
前記器具本体は、
前記器具本体の上側であって電源部を有する第１の器具本体と、
前記器具本体の下側であって前記発光部を有する第２の器具本体を有する
ことを特徴とする照明器具。
【請求項３】
請求項１記載の照明器具において
前記プルスイッチが前記第１の器具本体に設けられ、
ことを特徴とする照明器具。
【請求項４】
請求項２記載の照明器具において、
前記プルスイッチが前記第２の器具本体に設けられ、
前記引き紐が前記基板と略平行な方向に引き出される
ことを特徴とする照明器具。
【発明の詳細な説明】
【技術分野】
【０００１】
本発明は、照明器具に関する。
【背景技術】
【０００２】
近年、白熱電球等の照明光源よりも発熱量、消費電力が少なく、長寿命な発光ダイオード（ＬＥＤ：ＬｉｇｈｔＥｍｉｔｔｉｎｇ  Ｄｉｏｄｅ）を発光素子として利用した照明器具が開発されている。
【０００３】
このような中、ＬＥＤを用いた照明器具は価格が高く、市場では安価な照明器具が求められるようになっている。
【０００４】
そこで、照明器具のＯＮ・ＯＦＦ操作を簡易方法で操作することで部品点数を抑える低価格商品の提供が考えられる。従来の蛍光灯を用いた照明器具などでは、引き紐を用いることによって照明器具のＯＮ・ＯＦＦを操作する照明器具が提供されている。（特許文献１）この技術を、ＬＥＤを用いた照明器具にも転用することで低価格商品の提供が可能であると考えられる。
【先行技術文献】
【特許文献】
【０００５】
【特許文献１】特開２００２−３５２６１９号公報
【発明の概要】
【発明が解決しようとする課題】
【０００６】
しかしながら、上記特許文献１における構造をＬＥＤ照明器具に転用すると、器具本体に撓みが生じる。この撓みの発生は照明器具に多大なる問題を与える。なぜならば、ＬＥＤを用いた照明器具において、蛍光灯を用いた照明器具と同等の明るさを得るためには、多数のＬＥＤを器具本体に並べる必要がある。また、ＬＥＤを定格温度内で使用するために、器具本体に基板を介し直接ＬＥＤを装着し、器具本体を放熱部材として用いることが通常である。この点から、器具本体に撓みが生じると、ＬＥＤが割れ、または、ＬＥＤを実装するために使われている半田が割れることから生じる、断線が発生してしまう。
【０００７】
そこで、本発明は上記背景技術に鑑みてなされたものであり、ＬＥＤが破壊されることを防ぐことができる照明器具を提供するものである。
【課題を解決するための手段】
【０００８】
上記課題を解決するために本発明では、天井に取付けられる器具本体と、前記器具本体の下側の略全面に取付けられた複数の半導体発光素子からなる発光部と、前記発光部に電源を供給する電源部と、前記電源部への商用電源の入り切りを操作するプルスイッチを有する照明器具において、前記プルスイッチが前記器具本体の略中心付近に設けられ、前記プルスイッチに結着される引き紐が前記器具本体の略中心から引き出されている照明器具である。
【０００９】
また、前記照明器具において、前記器具本体は、前記器具本体の上側であって電源部を有する第１の器具本体と、前記器具本体の下側であって前記発光部を有する第２の器具本体を有する照明器具であってもよい。
【００１０】
また、前記照明器具において、前記プルスイッチが前記電源部にもうけられ、前記引き
紐が前記基板と略平行な方向に引き出される照明器具であってもよい。
【００１１】
また、前記照明器具において、前記プルスイッチが前記第１の器具本体に設けられ、
前記引き紐が前記基板と略平行な方向に引き出される照明器具であってもよい。
【００１２】
また、前記照明器具において、前記プルスイッチが前記第２の器具本体に設けられ、
前記引き紐が前記基板と略平行な方向に引き出される照明器具であってもよい。
【発明の効果】
【００１３】
本発明によれば、ＬＥＤを用いた照明器具を、引き紐によって照明のＯＮ・ＯＦＦを操作することによって、部品点数を減らし、安価な照明器具を提供することができ、かつ、ＬＥＤの破損を防ぐことができる。
【図面の簡単な説明】
【００１４】
【図１】本発明の実施形態１における照明器具１の横から見た断面図である。
【図２】実施形態２における照明器具１を横から見た断面図である。
【図３】実施形態３における照明器具１の横から見た断面図である。
【発明を実施するための形態】
【００１５】
（実施形態１）
実施形態１で示す照明器具１について図１に基づいて説明する。照明器具１は天井取付け型の照明器具１であって、照明器具１の天井５側を照明器具１の後面とする。照明器具１は、第１の器具本体２と、第２の器具本体３と、第２の器具本体３に取り付けられた発光部４を有する。また、この発光部４は透光性カバー６によって覆われているものである。また、第１の器具本体２と第２の器具本体３は透光性のグローブ７を有する。図１は、円盤状の照明器具１の断面図を示しているが、照明器具１の形状は、特に円盤形に限定されないことはいうまでもない。
【００１６】
発光部４は、基板８と、この基板８の一方の面側に設けられた半導体発光素子１８を有して形成される。半導体発光素子１８は発光ダイオード（ＬＥＤ）や有機エレクトロルミネセンス（ＥＬ）素子などである。基板８は、合成樹脂または金属のいずれであってもよく、金属の場合、絶縁層が形成され、当該絶縁層上に半導体発光素子１８が設けられる。図１における半導体発光素子１８はＬＥＤ１８である。
【００１７】
また、発光部４は複数の基板８からなっていてもよい。複数の基板８同士は、コネクタ（図示せず）によって電気的に接続されている。発光部４を複数の基板８に分割することで、いずれかの基板８に故障が発生しても、当該基板８のみを交換するだけで対応が可能となり、修理の工数および費用の削減が可能となる。
【００１８】
透光性カバー６は第２の器具本体３に固定されており、使用者にとって取り外し困難である。しかし、修理従事者にとっては、透光性カバー６の取り外しは可能な状態であってよい。そのことによって、発光部４において何らかの故障が発生した際は、透光性カバー６を取り外し、修理することが可能となる。
また、透光性カバー６によって発光部４を密閉することで発光部４の内側にホコリ・昆虫などが混入しない。また、使用者がグローブ７を取り外し、照明器具１の内側に溜まったホコリ・昆虫などの清掃時に発光部４に実装されているＬＥＤ１８に直接接触することを防止する。このことによって、ＬＥＤ１８への静電気の印加を防ぎ、ＬＥＤ１８の破壊を防止する。
【００１９】
また、この透光性カバー６は、酸化チタン（ＴｉＯ２）やシリカ（ＳｉＯ２）などの光
拡散性微粒子が混入されていて、光拡散性を有するとともに透光性を有する。例えばポリカーボネート（ＰＣ）樹脂にて形成されているものでもよい。そして、当該ポリカーボネート（ＰＣ）樹脂は、例えばＵＬ規格Ｖ２の低難燃性を有するものでもよい。
【００２０】
透光性カバー６は、発光部４に実装されたＬＥＤ１８を覆う大きさであって、グローブ７の内側に収容可能な大きさに形成されている。そして、透光性カバー６は基板８にシリコーン樹脂などの接着剤により固着されている。
【００２１】
また、この透光性カバー６は、指向性の強いＬＥＤ１８の照射光を拡散させることによって、照明器具１のグローブ７にランプイメージを写り込ませない効果がある。このことによって、美観性を損なうことのない照明器具１を提供することが可能となっている。
【００２２】
また、透光性カバー６は、一枚のカバーからなるものではなく、複数のカバーからなるものであってもよい。これは、発光部４が複数の基板８からなるとき、個々の基板８を透光性カバー６によって覆う際に有益である。
【００２３】
第１の器具本体２と第２の器具本体３は、発光部４およびグローブ７を保持する。第１の器具本体２と第２の器具本体３は鉄、アルミニウム等の金属性であり、発光部４等の発熱体からの熱を放熱するヒートシンクとして機能も有している。
【００２４】
また、第１の器具本体２と第２の器具本体３の略中央付近には、アダプタ９を有している。アダプタ９は扁平な円柱形状を有しており、被取り付け部材１０と係合することで、電気的、機械的に被取り付け部材１０に接続される。このアダプタ９は、それ自体公知であるので、詳細な説明は省略する。
【００２５】
また、アダプタ９は、被取り付け部材１０を介して商用電源１１と電気的に接続されている。図１において、電源ブロック１２は第１の照明器具２に備えられており、電源ブロック１２には、アダプタ９から接続線１３を介して電力が供給されている。接続線１３は従来から用いられている導線であってよい。この電源ブロック１２から基板８へは、給電線１４を用いて電力が供給されている。この電源ブロック１２は電源部の役割である。
【００２６】
電源ブロック１２には、商用電源１１から供給された電流を整流する整流回路、整流された電圧を所定の電圧に変換するトランス等の電子部品が備えられている。
【００２７】
また、電源ブロック１２には、ＬＥＤ１８の点灯を制御する点灯装置（図示せず）が備えられている。この点灯装置には、照明制御用マイクロコンピュータ（図示せず）、調光回路部品（図示せず）等の電子部品が備えられている。
【００２８】
グローブ７は、第１の器具本体２または第２の器具本体３に取り外し可能な状態で取付けられている。図１においては、グローブ７は第２の器具本体３に取付けられている。このグローブ７の外縁は、第２の器具本体３の外縁よりも外側に存在するよう設計されている。グローブ７の材質としては、透光性を有する合成樹脂、例えば、アクリルなどが考えられ、かつ、軽量なものであることが好ましい。また、難燃性の部材を用いることも可能である。これによって、照明器具１の外側に炎が発生しても、難燃性お有する樹脂にて形成されているので、着火しにくい。
【００２９】
グローブ７の取り付け方法としては、グローブ７または第２の器具本体３のいずれかにストッパー（図示せず）などを備え、お互いを固定する方法が考えられる。それ以外にも、第２の器具本体３に突起物を形成し、グローブ７にかかる重力によって、お互いが係り合う構造も考えられる。いずれの方法をとっても、グローブ７と第２の器具本体３は取り
外し可能である。
【００３０】
プルスイッチ１９は、アダプタ９から電源ブロック１２に給電される電流のＯＮ・ＯＦＦの制御が可能なスイッチである。その構造は、公知であるので詳細な説明は省略する。このプルスイッチ１９は、電源ブロック１２の一部に取り付けられている。
【００３１】
また、プルスイッチ１９には、引き紐１５が接続されている。引き紐１５を引く動作によってプルスイッチ１９のＯＮ・ＯＦＦ操作が可能となっている。また、プルスイッチには、引き紐１５を案内保持する引き紐案内体（図示せず）が備えられている。引き紐案内体によって、引き紐１５がプルスイッチに対して抵抗なく動作するようになっている。
【００３２】
プルスイッチ１９によって照明器具１に流れる電流をＯＮ・ＯＦＦ操作することで、リモコン式であれば必要となる電波受信を可能とする電子部品を装着せずに済む。すなわち部品点数を減らし、商品の安価化が実現する。
【００３３】
引き紐１５は、照明器具１の外縁付近から引き出されている。この引き紐１５は、第１の器具本体２の上側に設けられている引き紐ガイド２０の上側を通す。引き紐ガイド２０は、引き紐１５を引いた際に、第１の器具本体２にかかる張力を軽減する役目を果たす。その結果、器具本体１の撓みを防ぎ、基板８に実装されている半導体発光素子１８や半田の破損を防ぐことができる。
【００３４】
引き紐ガイド２０は、アルミ製または合成樹脂で製造されていることが考えられる。引き紐ガイド２０に若干の撓みを発生させることで、張力を吸収し、器具本体１の撓みを防ぐ。そして、この効果をより発揮するために、引き紐ガイド２０は、第１の器具本体２上の１点で固定されていることが望ましい。引き紐ガイド２０の全面を、第１の器具本体２に密着させてしまうと、引き紐ガイド２０の撓みが全て器具本体１へと伝わり、効果が薄れてしまう。
【００３５】
また、プルスイッチ１９は、電源ブロック１２の照明器具１の略中心寄りであって、電源ブロック１２の端辺付近に取り付けられていてもよい。そのことによって、引き紐１５が第２の器具本体３または、基板８に与える張力が軽減される。すなわち、ＬＥＤ１８の破壊、半田の割れを防ぐ効果がより発揮される。
【００３６】
引き紐１５の素材は、アクリル糸などの通常用いられる紐を用いることができる。この引き紐１５には、蛍光塗料が塗られていてもよい。このことによって、消灯後、引き紐１５の場所が分からないという事態を回避することができる。
【００３７】
また、第１の器具本体２の後面には弾性部材１７が設けられている。弾性部材１７によって、照明器具１を安定的に設置することができる。また、弾性部材１７によって、引き紐１５を引いた際も、照明器具１の安定性が保たれている。この弾性部材１７は、スポンジであってもよいし、バネ等の弾性部材であってもよい。
【００３８】
実施形態１では、天井取り付け型の照明器具１を示しているが、天井から吊り下げ型の照明器具１であってもよいことは言うまでもない。
（実施形態２）
図２を用いて実施形態２に示す照明器具１を説明する。実施形態１と同構成部分は説明を省略する。
プルスイッチ１９は第１の器具本体２に取付けられている。プルスイッチ１９の設置場所は電源ブロック１２の近傍であることが望ましい。プルスイッチ１９と電源ブロック１２が近傍であればあるほど、接続線１３を短くすることができ、接続線１３の途中でも電気
的な故障の発生を防ぐことができる。プルスイッチ１９の取り付け方法は、ネジ止め、接着剤によるもの、いずれであってもよい。
（実施形態３）
図３を用いて実施形態３に示す照明器具１を説明する。実施形態１と同構成部分は説明を省略する。
【００３９】
プルスイッチ１９は第２の器具本体３に取付けられている。取り付け方法は、ネジ止め、接着剤によるもの、いずれであってもよい。プルスイッチ１９の取り付け位置は、第２の器具本体３の上面、下面のどちらであってもよい。それ以外にも、プルスイッチ１９は、第２の器具本体３に取り付けられている基板８上に取り付けられていてもよい。
【００４０】
なお、実施形態１〜３において電源ブロック１２は第１の器具本体２または第２の器具本体３のいずれに備えられていてもよい。
【産業上の利用可能性】
【００４１】
本発明は、ＬＥＤを用いた照明器具において、安価な照明器具の提供が可能となり、需要者に広く好まれるものを提供することが可能となる。
【符号の説明】
【００４２】
１  照明器具
２  第１の器具本体
３  第２の器具本体
４  発光部
５  天井
６  透光性カバー
７  グローブ
８  基板
９  アダプタ
１０  被取り付け部材
１１  商用電源
１２  電源ブロック
１３  接続線
１４  給電線
１５  引き紐
１６  飾り板
１７  弾性部材
１８  半導体発光素子（ＬＥＤ）
１９  プルスイッチ
２０  引き紐ガイド
【図１】
2013191417.tif 000003
【図２】
2013191417.tif 000004
【図３】
2013191417.tif 000005